(57)【要約】【課題】よりコンパクトな構成で、微細な気泡をより効率的に消泡することができる微細気泡消泡装置及び泡入浴装置を提供する。【解決手段】浴槽１０内の泡Ｗを吸入口７１から吸入して加圧し、該加圧した泡Ｗを吐出口４７ａから吐出する循環ポンプ４７と、吐出口４７ａに接続された導入口及び噴射口を備え、吐出口４７ａから吐出された泡Ｗを導入口から導入して噴射口から噴射するノズル７３とを備える。【選択図】図１
2010023003.tif 000002
【特許請求の範囲】
【請求項１】
貯泡槽内の微細気泡を吸入口から吸入して加圧し、該加圧した微細気泡を吐出口から吐出する加圧手段と、
前記吐出口に接続された導入口及び噴射口を備え、前記吐出口から吐出された前記微細気泡を前記導入口から導入して前記噴射口から噴射するノズルとを備えたことを特徴とする微細気泡消泡装置。
【請求項２】
請求項１に記載の微細気泡消泡装置において、
前記噴射口は、前記導入口の開口面積よりも小さい開口面積を有することを特徴とする微細気泡消泡装置。
【請求項３】
請求項１又は２に記載の微細気泡消泡装置において、
前記噴射口は、放射状に複数配設されていることを特徴とする微細気泡消泡装置。
【請求項４】
請求項１〜３のいずれか一項に記載の微細気泡消泡装置において、
前記噴射口から噴射された前記微細気泡の形成する液体を貯めるための貯液槽を備え、
前記噴射口は、前記液体の表面とは異なる方向に前記微細気泡を噴射することを特徴とする微細気泡消泡装置。
【請求項５】
請求項１〜３のいずれか一項に記載の微細気泡消泡装置において、
前記噴射口から噴射された前記微細気泡の形成する液体を貯めるための貯液槽を備え、
前記噴射口は、前記液体の表面よりも上方に配置される前記貯液槽の内壁面に当たるように前記微細気泡を噴射することを特徴とする微細気泡消泡装置。
【請求項６】
請求項１〜５のいずれか一項に記載の微細気泡消泡装置において、
前記吸入口及び前記ノズル間に、消泡剤を投入するための投入口を設けたことを特徴とする泡入浴装置。
【請求項７】
前記貯泡槽としての浴槽内の前記微細気泡としての泡を消泡する請求項１〜６のいずれか一項に記載の微細気泡消泡装置を備えたことを特徴とする泡入浴装置。
【発明の詳細な説明】
【技術分野】
【０００１】
本発明は、微細気泡消泡装置及び泡入浴装置に関するものである。
【背景技術】
【０００２】
従来、微細気泡などの消泡装置として種々のものが提案されている。例えば特許文献１に記載の消泡装置は、泡立った液体の表面上部に配置したノズルアームを回転させながらその噴射口から泡に対して加圧した流体を噴射することで、その衝撃力にて消泡するものである。
【０００３】
また、特許文献２に記載の消泡装置は、泡立った液体の表面上部に配置した昇降自在な消泡ノズルから泡に対して消泡水を噴射することで消泡するものである。
さらに、特許文献３に記載の消泡装置は、反応槽内の上部に配置した、複数の羽根板等を有する円盤を回転させることで、化学反応に伴い発生した泡沫（泡）を遠心作用により機械的に消泡するものである。
【特許文献１】特開２００１−１４５８０３号公報
【特許文献２】特開平８−２４５１１号公報
【特許文献３】特開平９−１３１５０２号公報
【発明の開示】
【発明が解決しようとする課題】
【０００４】
ところで、特許文献１では、流体としての水を噴射して消泡を行う場合、該消泡の能力が低く、絶えず発生する泡に対処することは困難である。
特許文献２では、消泡水の噴射により消泡を進行させるための反応槽の設置を前提としており、装置の大型化を余儀なくされてしまう。また、消泡効率を増加させるためには、その分、消泡水を増加させる必要があることから、ランニングコストが増加してしまう。
【０００５】
特許文献３では、消泡効率を増加させるべく反応槽内に消泡剤を投入する場合には、該反応槽内で消泡剤及び泡沫が均一に混ざることが困難であると推定され、その場合には消泡剤を効率的に利用できなくなってしまう。また、消泡の能力を超えた大量の泡沫が発生した場合には、反応槽がオーバーフローとなってしまう。さらに、反応槽やその上部に配置される回転体（円盤）が必要になり、やはり装置の大型化を余儀なくされてしまう。
【０００６】
本発明の目的は、よりコンパクトな構成で、微細な気泡をより効率的に消泡することができる微細気泡消泡装置及び泡入浴装置を提供することにある。
【課題を解決するための手段】
【０００７】
上記問題点を解決するために、請求項１に記載の発明は、貯泡槽内の微細気泡を吸入口から吸入して加圧し、該加圧した微細気泡を吐出口から吐出する加圧手段と、前記吐出口に接続された導入口及び噴射口を備え、前記吐出口から吐出された前記微細気泡を前記導入口から導入して前記噴射口から噴射するノズルとを備えたことを要旨とする。
【０００８】
同構成によれば、前記貯泡槽内の微細気泡は、前記加圧手段において加圧されて前記ノズルの導入口に吐出される。この場合、前記加圧手段において加圧された微細気泡を、該加圧によって押し潰して破裂させることで消泡することができる。このように、微細気泡の加圧による作用を利用して微細気泡を消泡できるため、例えば消泡のための消泡剤や水などを割愛又は削減することができる。また、前記加圧手段及び前記ノズルのみの簡易な構成であるため、装置をより小型化することができる。
【０００９】
請求項２に記載の発明は、請求項１に記載の微細気泡消泡装置において、前記噴射口は、前記導入口の開口面積よりも小さい開口面積を有することを要旨とする。
同構成によれば、前記導入口から導入された微細気泡は、該導入口の開口面積よりも小さい開口面積を有する前記噴射口から噴射される。この場合、前記噴射口から噴射される微細気泡には、開口面積の変化に伴う急激な速度変化によって圧力変動が生じる。従って、前記微細気泡を、この圧力変動のエネルギーにより破泡・合泡することで消泡することができる。このように、流体（微細気泡）の力学的作用を利用するのみの簡易な構成で、微細気泡を消泡することができる。
【００１０】
請求項３に記載の発明は、請求項１又は２に記載の微細気泡消泡装置において、前記噴射口は、放射状に複数配設されていることを要旨とする。
同構成によれば、微細気泡は、放射状に配設された前記複数の噴射口から放射状に噴射されることで、例えば電気的な吸引力などで隣り合う前記噴射口から噴射された微細気泡が合流したりすることを抑制でき、該合流に伴う微細気泡の再生を抑制することができる。
【００１１】
請求項４に記載の発明は、請求項１〜３のいずれか一項に記載の微細気泡消泡装置において、前記噴射口から噴射された前記微細気泡の形成する液体を貯めるための貯液槽を備え、前記噴射口は、前記液体の表面とは異なる方向に前記微細気泡を噴射することを要旨とする。
【００１２】
同構成によれば、前記噴射口から、前記液体の表面に向けて微細気泡が噴射されないため、該表面への直接的な衝突による微細気泡の再生を抑制することができる。
請求項５に記載の発明は、請求項１〜３のいずれか一項に記載の微細気泡消泡装置において、前記噴射口から噴射された前記微細気泡の形成する液体を貯めるための貯液槽を備え、前記噴射口は、前記液体の表面よりも上方に配置される前記貯液槽の内壁面に当たるように前記微細気泡を噴射することを要旨とする。
【００１３】
同構成によれば、前記噴射口から噴射された微細気泡は、前記液体の表面への到達に先立って前記貯液槽の内壁面に当てられるため、微細気泡を再生することなく速やかに消泡することができる。
【００１４】
請求項６に記載の発明は、請求項１〜５のいずれか一項に記載の微細気泡消泡装置において、前記吸入口及び前記ノズル間に、消泡剤を投入するための投入口を設けたことを要旨とする。
【００１５】
同構成によれば、微細気泡が前記ノズルに到達する前に、前記投入口から投入された消泡剤にて微細気泡の消泡を促進することができ、微細気泡をより確実に消泡することができる。
【００１６】
請求項７に記載の発明は、前記貯泡槽としての浴槽内の前記微細気泡としての泡を消泡する請求項１〜６のいずれか一項に記載の微細気泡消泡装置を備えた泡入浴装置であることを要旨とする。
【００１７】
同構成によれば、前記浴槽内の前記泡をより確実に消泡することで、前記ノズルの下流側の配管（排水管等）の詰まり発生を抑制することができる。
【発明の効果】
【００１８】
本発明では、よりコンパクトな構成で、微細な気泡をより効率的に消泡することができる微細気泡消泡装置及び泡入浴装置を提供することができる。
【発明を実施するための最良の形態】
【００１９】
以下、本発明を具体化した一実施形態を図面に従って説明する。
図４は、本実施形態に係る微細気泡消泡装置が適用される泡入浴装置を示す水回路図である。同図に示されるように、この泡入浴装置が備える貯泡槽としての浴槽１０は、その内部に気泡としての泡Ｗを溜めるとともに、該浴槽１０内に泡Ｗを供給するための泡流入部１１が設置され、更に浴槽１０内の泡Ｗを排水するための泡流出部１２が設置されている。泡流入部１１は、浴槽１０の上端部に開口しており、泡流出部１２は、浴槽１０の底部に開口している。また、浴槽１０には、その上半分に分散配置された複数のノズル１３が配設されている。
【００２０】
泡入浴装置は、上水道Ｃに給水用配管２１ａを介して接続された第１流量調整弁２２を備えるとともに、給湯器Ｈに給湯用配管２１ｂを介して接続された第２流量調整弁２３を備え、更にこれら第１及び第２流量調整弁２２，２３に給水用配管２１ｃ及び給湯用配管２１ｄをそれぞれ介して接続されたミキシング（混合栓）２４を備える。ミキシング２４は、第１及び第２流量調整弁２２，２３により流量の調整された水及び湯を混合して所要水温（例えば４２°Ｃ）の温水を生成する。なお、給水用配管２１ａ及び給湯用配管２１ｂには、使用時（入浴時）に開状態となる開閉弁２５，２６がそれぞれ設けられている。
【００２１】
ミキシング２４は、配管２１ｅを介して第３流量調整弁２７に接続されるとともに、該第３流量調整弁２７は、配管２１ｆを介して攪拌装置３１に接続されている。この攪拌装置３１は、電動ポンプ３２を介して起泡剤タンク３３に接続されており、該起泡剤タンク３３に溜められた泡剤（洗浄剤など）が電動ポンプ３２の駆動により供給されるとともに、第３流量調整弁２７により流量の調整された温水と攪拌して、いわゆる石鹸水を生成する。
【００２２】
攪拌装置３１は、配管２１ｇを介してＭＢＦ（微細泡沫群）生成装置３４の吸入口３４ａに接続されている。このＭＢＦ生成装置３４は、その吸入口３４ｂが空気配管３５ａを介して第４流量調整弁３６に接続されるとともに、該第４流量調整弁３６は、空気配管３５ｂを介してコンプレッサ３７に接続されている。ＭＢＦ生成装置３４は、第３流量調整弁２７により流量の調整された攪拌装置３１を介した石鹸水及び第４流量調整弁３６により流量の調整された圧縮空気を混合等して微細泡沫群（例えば１５０μｍ径、水分量が２０〜３０％の泡）からなる泡Ｗを生成するとともに、該泡Ｗをその吐出口３４ｃから吐出する。この泡Ｗは、ミキシング２４において生成された温水によって温められた温泡となっている。なお、配管２１ｇ及び空気配管３５ａには、使用時（入浴時）に開状態となる開閉弁３８及び空気用バルブ３９がそれぞれ設けられている。また、ＭＢＦ生成装置３４は、循環する泡Ｗを吸入するための吸入口３４ｄを併せ備えている。
【００２３】
ＭＢＦ生成装置３４の吐出口３４ｃは、泡配管４１ａを介して泡路切替バルブ４２に接続されるとともに、該泡路切替バルブ４２は、泡配管４１ｂを介して前記泡流入部１１に接続され、あるいは泡配管４１ｃを介してドレインＤに接続されている。従って、泡路切替バルブ４２により泡配管４１ａ，４１ｂが連通するように泡路が切り替えられたとき、ＭＢＦ生成装置３４（吐出口３４ｃ）から吐出された泡Ｗは、泡配管４１ａ，４１ｂを介して泡流入部１１から浴槽１０内に供給される。一方、泡路切替バルブ４２により泡配管４１ａ，４１ｃが連通するように泡路が切り替えられたとき、ＭＢＦ生成装置３４（吐出口３４ｃ）から吐出された泡Ｗは、泡配管４１ａ，４１ｃを介してドレインＤから排水される。
【００２４】
一方、前記泡流出部１２は、浴槽１０に設置されたダクト４５に接続されるとともに、該ダクト４５は、泡配管４６ａを介して加圧手段としての循環ポンプ４７の吸入口に接続されている。なお、ダクト４５は、浴槽１０内の泡Ｗの導入を容易にすべく、その上流側（泡流出部１２側）の開口面積が下流側（泡配管４６ａ側）の開口面積よりも大きく設定されている。
【００２５】
循環ポンプ４７は、例えばベーンポンプ等の容積形ポンプからなり、その吐出口は泡配管４６ｂを介して泡路切替バルブ４８に接続されている。この泡路切替バルブ４８は、泡配管４６ｃを介してＭＢＦ生成装置３４の前記吸入口３４ｄに接続されるとともに、泡配管４６ｄを介してドレインＤに接続されている。従って、泡路切替バルブ４８により泡配管４６ｂ，４６ｃが連通するように泡路が切り替えられたとき、循環ポンプ４７により吸引された浴槽１０内の泡Ｗは、泡配管４６ｂ，４６ｃを介して吸入口３４ｄに供給される。そして、ＭＢＦ生成装置３４は、循環ポンプ４７により循環された浴槽１０内の泡Ｗをその吸入口３４ｄから吸入して微細泡沫群からなる泡Ｗを生成（再生）する。一方、泡路切替バルブ４８により泡配管４６ｂ，４６ｄが連通するように泡路が切り替えられたとき、循環ポンプ４７により吸引された浴槽１０内の泡Ｗは、泡配管４６ｂ，４６ｄを介してドレインＤから排水される。
【００２６】
なお、循環ポンプ４７により浴槽１０内の泡Ｗを循環させる際、ＭＢＦ生成装置３４は、基本的に攪拌装置３１からの石鹸水等を追加しない。ただし、循環する泡Ｗの温度が低いときには、該泡Ｗを温めるべく第３流量調整弁２７の開度を変更してミキシング２４の生成した温水を追加する。
【００２７】
さらに、前記給水用配管２１ａは、上水道Ｃ及び開閉弁２５間で配管５１ａに接続されるとともに、前記給湯用配管２１ｂは、給湯器Ｈ及び開閉弁２６間で該配管５１ａに接続されている。そして、この配管５１ａは、前記複数のノズル１３のそれぞれに接続されている。また、配管５１ａには、使用時（入浴時）に開状態となる開閉弁５２が設けられている。これらノズル１３は、開閉弁５２が開状態にあるときに上水道Ｃの水及び給湯器Ｈの湯を混合等した温水が供給されることで、浴槽１０内の泡Ｗに霧状の水（温水）を付加する。これは、水分が抜けてスカスカの状態になった泡Ｗを循環しやすくするためである。すなわち、泡Ｗは、水分量が１５％を下回ると移送が困難になる傾向を示す。ノズル１３は、泡流出部１２における泡Ｗの水分量が１５％以上になるように霧状の水を付加する。
【００２８】
なお、給水用配管２１ａには、上水道Ｃの水温Ｔｃを検知するための温度センサ６１が設けられるとともに、給湯用配管２１ｂには、給湯器Ｈの湯温Ｔｈを検知するための温度センサ６２が設けられ、更に配管２１ｅには、ミキシング２４で生成した温水温度Ｔｗを検知するための温度センサ６３が設けられている。また、泡配管４１ａには、泡路切替バルブ４２の近傍でＭＢＦ生成装置３４（吐出口３４ｃ）から吐出される泡Ｗの温度である泡温Ｔｆを検知するための温度センサ６４が設けられるとともに、泡配管４６ｃには、泡路切替バルブ４８の近傍でＭＢＦ生成装置３４（吸入口３４ｄ）に吸入される泡Ｗの温度Ｔｏを検知するための温度センサ６５が設けられている。これら温度センサ６１〜６５は、制御装置６６に電気的に接続されている。制御装置６６は、これら温度センサ６１〜６５の検知結果に基づいて、第１〜第４流量調整弁２２、２３，２７，３６、ＭＢＦ生成装置３４、泡路切替バルブ４２，４８、循環ポンプ４７等を駆動制御する。
【００２９】
次に、本実施形態における泡Ｗの消泡態様について説明する。
図１は、浴槽１０内の泡Ｗを排水すべく泡路切替バルブ４８により泡配管４６ｂ，４６ｄが連通するように泡路が切り替えられたときの泡入浴装置を模式的に示す水回路図である。同図に示されるように、前記循環ポンプ４７は、その負圧となった吸入口７１から吸入した泡Ｗを吸入管７２を介して吸入するとともに、その内部で所定圧力（例えば０．０５［ＭＰａ］）に加圧する。そして、循環ポンプ４７は、加圧した泡Ｗをその吐出口４７ａから吐出する。循環ポンプ４７の吐出口４７ａは、前記泡配管４６ｂ，４６ｄを介してノズル７３に接続されている。
【００３０】
図２に図１のＡ−Ａ線に沿った断面図を示したように、このノズル７３は、前記泡配管４６ｄに接続される円筒状の導入口７３ａを有するとともに、該導入口７３ａを段差７３ｂを介して拡径してなる円筒状の側壁７３ｃを有し、更に該側壁７３ｃの下側の開口端を閉塞する底壁７３ｄを有する。そして、側壁７３ｃには、その中心線に対して放射状に配置された複数の噴射口７４が形成されている。各噴射口７４は、導入口７３ａの開口面積よりも小さい開口面積を有しており、例えば内径約１［ｍｍ］のいわゆるオリフィス形状を呈している。従って、噴射口７４から噴射される泡Ｗには、該噴射口７４における開口面積の変化に伴う急激な速度変化によって圧力変動が生じる。泡Ｗは、この圧力変動のエネルギーにより破泡・合泡されて消泡される。また、噴射口７４から噴射された泡Ｗは、速度変化に伴う噴射口７４の内壁面との摩擦や、大気圧への開放に伴う含有空気の急膨張などによって消泡が助長されているとも推定される。つまり、泡Ｗの消泡は、圧力変動により押し潰されたり、速度変化によりせん断されたり、あるいは音速を超えた流速により圧力障壁が加えられたりすることで促進されたと推定される。以上により、噴射口７４からの噴射に伴って泡Ｗが効率的に消泡される。このように消泡された泡Ｗは、液滴となって放出される。
【００３１】
図３は、循環ポンプ４７により加圧された泡Ｗの圧力［ＭＰａ］と消泡効率［％］との関係を示すグラフである。なお、消泡効率は、泡Ｗの全流量（通過量）に対する残存する泡量の容積比を百分率で表したもので、実用上、８５［％］以上であることが要求される。同図から明らかなように、循環ポンプ４７による加圧の圧力を大きくするほど、消泡効率も大きくなっており、０．０５［ＭＰａ］の圧力で８５［％］の消泡効率が得られることが確認される。
【００３２】
図１に示されるように、ノズル７３は、前記ドレインＤに設置された有底円筒状の貯液槽７６に内包されている。この貯液槽７６は、ノズル７３から噴射され液滴となった泡Ｗの形成する液体ＷＬを貯めるためのものである。ノズル７３は、液体ＷＬの表面Ｓから離れた貯液槽７６の上部中央に配置されており、放射状に配置された各噴射口７４は、液体ＷＬの表面Ｓとは異なる方向に、該表面Ｓよりも上方に配置される貯液槽７６の内壁面７６ａに当たるように泡Ｗを噴射する。
【００３３】
以上詳述したように、本実施形態によれば、以下に示す効果が得られるようになる。
（１）本実施形態では、浴槽１０内の泡Ｗは、循環ポンプ４７において加圧されてノズル７３の導入口７３ａに吐出される。そして、導入口７３ａから導入された泡Ｗは、噴射口７４から噴射される。この場合、循環ポンプ４７において加圧された泡Ｗを、該加圧によって押し潰して破裂させることで消泡することができる。このように、泡Ｗの加圧による作用を利用して泡Ｗを消泡できるため、例えば消泡のための消泡剤や水などを割愛又は削減することができ、ひいてはランニングコストを削減することができる。また、循環ポンプ４７及びノズル７３のみの簡易な構成であるため、装置をより小型化することができる。特に、循環ポンプ４７は、泡配管の適宜の配索により浴槽１０やノズル７３の配置に制約されることなく配置することができる。
【００３４】
（２）本実施形態では、導入口７３ａから導入された泡Ｗは、該導入口７３ａの開口面積よりも小さい開口面積を有する噴射口７４から噴射される。この場合、噴射口７４から噴射される泡Ｗには、開口面積の変化に伴う急激な速度変化によって圧力変動が生じる。従って、泡Ｗを、この圧力変動のエネルギーにより破泡・合泡することで消泡することができる。このように、流体（泡Ｗ）の力学的作用を利用するのみの簡易な構成で、微細気泡を消泡することができる。
【００３５】
（３）本実施形態では、泡Ｗは、放射状に配設された複数の噴射口７４から放射状に、即ち隣り合う噴射口７４から噴射された泡Ｗから離れていくように噴射されることで、例えば電気的な吸引力などで隣り合う噴射口７４から噴射された泡Ｗが合流したりすることを抑制でき、該合流に伴う泡Ｗの再生を抑制することができる。
【００３６】
（４）本実施形態では、噴射口７４から、液体ＷＬの表面Ｓに向けて泡Ｗが噴射されないため、該表面Ｓへの直接的な衝突による泡Ｗの再生を抑制することができる。
（５）本実施形態では、噴射口７４から噴射された泡Ｗは、液体ＷＬの表面Ｓへの到達に先立って貯液槽７６の内壁面７６ａに当てられるため、泡Ｗを再生することなく速やかに消泡することができる。
【００３７】
（６）本実施形態では、吸入口７１から吸入された浴槽１０内の泡Ｗをより確実に消泡することで、ノズル７３等の下流側の配管（排水管等）の詰まり発生を抑制することができる。
【００３８】
（７）本実施形態では、泡Ｗの循環に係る循環ポンプ４７を、泡Ｗの加圧手段として兼用したことで、部品点数の増加を抑制することができ、ひいてはコストを削減することができる。
【００３９】
（８）本実施形態では、導入口７３ａの開口面積よりも噴射口７４の開口面積を十分に小さくすることで、該噴射口７４において著しい圧力変動を生じさせることができ、その分、循環ポンプ４７の吐出能力を小さくして該循環ポンプ４７を小型化することができる。
【００４０】
（９）本実施形態では、循環ポンプ４７として容積形ポンプを採用したことで、例えばスクリューポンプに比べて泡Ｗの高い吸引力を発生することができ、泡Ｗの移送・加圧に有効である。
【００４１】
なお、上記実施形態は以下のように変更してもよい。
・図５に示すように、吸入口７１及びノズル７３間に、消泡剤を投入するための投入口８１を設けてもよい。すなわち、循環ポンプ４７の上流側となる吸入管７２に投入口８１を設けるとともに、該投入口８１に流量調整弁８２を介して消泡剤槽８３を接続する。この場合、泡Ｗがノズル７３に到達する前に、投入口８１から投入された消泡剤にて泡Ｗの消泡を促進することができ、泡Ｗをより確実に消泡することができる。そして、噴射口７４からの噴射に伴い前述の態様で消泡された泡Ｗは、液滴となって放出される。なお、前記実施形態と同様の条件で消泡剤を投入した場合、少量で消泡効率をほぼ１００［％］まで向上できることが確認されている。
【００４２】
特に、投入口８１を循環ポンプ４７の上流側に配置したことで、循環ポンプ４７における一次攪拌、ノズル７３における二次攪拌によって投入された消泡剤をより効率的に作用させることができ、少量の消泡剤で消泡能力を向上することができる。このため、循環ポンプ４７がその負圧となった吸入口７１から泡Ｗを吸入する際に、流量調整弁８２を介して投入する消泡剤量を必要最小限に抑えることができる。
【００４３】
また、投入された消泡剤は、例えばドレインＤの下流側の配管（排水管等）での泡Ｗの再生を抑制するためにも有効である。
・前記実施形態において、ノズル７３の噴射口を底壁７３ｄに設けてもよい。
【００４４】
・前記実施形態において、泡Ｗの加圧は、循環ポンプ４７とは独立した加圧手段（ポンプなど）で行ってもよい。
・前記実施形態において、循環ポンプ４７としてスクリューポンプや遠心ポンプを採用してもよい。この場合、例えば容積形ポンプに比べて耐久性を向上することができる。
【００４５】
・本発明は、泡入浴以外の用途、例えば手洗い等の洗浄のために生じた微細気泡を消泡するものであってもよい。
【図面の簡単な説明】
【００４６】
【図１】本発明の一実施形態を模式的に示す水回路図。
【図２】図１のＡ−Ａ線に沿った断面図。
【図３】圧力と消泡効率との関係を示すグラフ。
【図４】同実施形態を示す水回路図。
【図５】本発明の変形形態を模式的に示す水回路図。
【符号の説明】
【００４７】
Ｓ…表面、Ｗ…泡、ＷＬ…液体、１０…浴槽（貯泡槽）、４７…循環ポンプ（加圧手段）、４７ａ…吐出口、７１…吸入口、７３…ノズル、７３ａ…導入口、７４…噴射口、７６…貯液槽、７６ａ…内壁面、８１…投入口。
【図１】
2010023003.tif 000003
【図２】
2010023003.tif 000004
【図３】
2010023003.tif 000005
【図４】
2010023003.tif 000006
【図５】
2010023003.tif 000007